【誤訳訂正書】
【提出日】令和3年6月21日(2021.6.21)
【誤訳訂正１】
【訂正対象書類名】特許請求の範囲
【訂正対象項目名】請求項１
【訂正方法】変更
【訂正の内容】
【請求項１】
幾何的情報を処理するクロックを準備する方法であって、
ここにおいて、時間サイクルまたはクロックがそのホスト時間サイクルの周辺中のピクセルであり、その周辺上の各ピクセルは内部に時間サイクルを保持し、ピクセルは位相点を表し、短時間記憶中で位相サイクルがその２つの端点間で絶え間なく振動し、そのホストと同じ大きさにつり合い、また長時間記憶では時間サイクルの直径が減少してそのピクセルの一つとなり、
ここにおいて、クロックは幾何形状を位相として記憶し、前記クロックはシステム点が周辺に沿って走るときには静かなままとなり、その位相変化は回転を測定し、前記幾何形状の角部ではクロックが時間を刻むとき、発振の周期がサイクルを完了し、その周辺の長さが時間であり、
ここにおいて、円の弧の長さの比が幾何形状の距離パラメータを保持し、また角が周波数を生成する内部のクロックを保持する特異点であり；
ここにおいて、１Ｄ、２Ｄ及び３Ｄの基本幾何形状の集合が、変形構造が幾何形状アセンブリを構築するための文字として使用され、ここで２Ｄが１Ｄに変形しまた逆も成立する際に三角形、正方形、五角形、六角形が直線に変形し、これらの２Ｄ形状が変形によって更に変形して３Ｄ構造となる。
【誤訳訂正２】
【訂正対象書類名】特許請求の範囲
【訂正対象項目名】請求項２
【訂正方法】変更
【訂正の内容】
【請求項２】
幾何学的情報を保持しているクロックのアセンブリを準備する方法であって、
ここで、システム点とは、システム全体のダイナミクスを制御するものとして定義されるが、ダイナミクスを示す円の外周上の単一の点として表現され；
ここで、ゲスト時間サイクルはより大きな直径を有しホスト時間サイクルと呼ばれる時間サイクル上に描かれるより小さな直径の円であり、両方の時間サイクルは波を表し、これにより前記両方の時間サイクルがゲストの波またはホストの波を表し、両方の円又は時間サイクルが少なくとも一つの接触点を作り；
ここで、円またはクロック上のシステム点の生成又は廃棄が、すべてのゲストの波の波長の合計がホストの波の波長であるという原則に従う波形の入れ子化によって自発的に決定され、次いで周期上のシステム点が自動的に移動し、ここで完全な入れ子化がシステム点を生成し、もしクロック間に不適合があった場合にはシステム点は消滅して、システム点を持たないクロックは不活性となり；
ここで、円としてあらわされるクロックは３通りに自己組織化する：（ｉ）同じ半径のいくつかの円が球を形成する、（ｉｉ）円はそれよりも大きな直径を有する円のピクセルであり、そのピクセルの各々は内部に円を有し、この構造は２つまたはそれよりも多くの円が組み合わさったとき維持される、（ｉｉｉ）観察者の可視領域中の円が３通りに自己組織化し、それは第１には一つの円が他の円の内側の境界と接触し、第２には関与する円の両者が外側で接触することにより結合され、第３には一つの円が他の円に、たがいの周囲を交差させて重ねられて２つの交点で接触し；
ここで、一つのシステム点を有する一つの円と２つのシステム点を有する２つの円とが結合されて正弦波を入れ子化と呼ばれるリズムに変換し、もしこれらがゲスト上にちょうど一つのシステム点を有するがホストはシステム点を有さない場合には、２値パルスストリームが出力で得られるが、もし全てのものが異なるシステム点を有する場合には、出力は互いに固定した位相関係を有する多様なクロックの重ね合わせである。
【誤訳訂正３】
【訂正対象書類名】特許請求の範囲
【訂正対象項目名】請求項３
【訂正方法】変更
【訂正の内容】
【請求項３】
クロック動作する形状をBloch球に挿入する方法であって、
ここで、クロック動作する円は量子力学で使用される虚のBloch球中に設けられるが、前記Bloch球は標準的なBloch球の２つの古典的な極の代わりにこれらの極は対となった仮想中心で置き換えられ、また仮想中心の接続線は幾何形状を保持するクロック動作する円の回転軸であり；
ここで、その周辺を接触することによってクロック動作する円上に設けられる多角形または任意の他の幾何形状の角は内部の他の幾何形状を挿入することによって未定義とされ、これによりこれらの点は特異点となり、角の点がクロック動作するBloch球を有するかまたはホストBloch球が切り取られて類似したあるいは類似していない形状の追加のBloch球を置き；
ここで、新たないくつかのゲストBloch球が単一のクロック中に角の点にまたは並んで形成されながらホストBloch球が拡張し、ここで当該拡張は幾何形状の比を維持し、このような統合されたBloch球アーキテクチャを統合情報アーキテクチャ、省略してＩＩＡと呼ぶ。
【誤訳訂正４】
【訂正対象書類名】特許請求の範囲
【訂正対象項目名】請求項４
【訂正方法】変更
【訂正の内容】
【請求項４】
請求項３に従って挿入された幾何形状を保持する、クロック動作するBloch球を質量、時間及び空間として表現する方法であって、
ここで、観察者のＩＩＡ中のクロックの密度を観察されているオブジェクトまたはイベントのＩＩＡの密度と比較することによって、観察されているオブジェクトまたはイベントのＩＩＡの前記密度が大きいためにＩＩＡの全周への投影が類似していて内部でエンコードされている形状の組成を反映しないことがみいだされた場合、観察されているイベントまたはオブジェクトのＩＩＡクロックの密度は質量を表していることが見いだされ；
ここで、ＩＩＡ中のクロックのアセンブリが、観察者のＩＩＡの３Ｄ投影の最も長い時間クロックまたは最も大きな時間サイクルが観察されているオブジェクトまたはイベントの端点と立体角をなすものであり、ＩＩＡが単一ピクセルよりも大きいことを見出し、これが観察者と観察されるものとを結合する場合には、クロックネットワークに沿った２つのクロック動作システム点間の最短経路が空間として計測され；
ここで、観察者のＩＩＡの最も長いクロックが観察されているオブジェクトまたはイベントの最も長いクロックへのピクセルではなく、また逆も成立する場合には、クロックの直径の比が時間であり；
ここで、自然の全ての物理現象がただ一つの種類の情報に変換され、これがＩＩＡの一部としての位相であり、これにより宇宙の質量、空間、及び時間等の全ての変数の次元が．．．Ｔ-3、Ｔ-2、Ｔ-1、Ｔ、０、Ｔ1、Ｔ2，Ｔ3．．．となり、ここでクロックまたは周波数点または幾何形状の座標の２つの時間の刻みの間の弧のギャップがＴとしてあらわされ、これが位相と呼ばれ、唯一の変数である。
【誤訳訂正５】
【訂正対象書類名】特許請求の範囲
【訂正対象項目名】請求項５
【訂正方法】変更
【訂正の内容】
【請求項５】
請求項３で定義された統合情報アーキテクチャＩＩＡ中の大きなデータを請求項２の方法を使用して縮小する方法であって、
ここで、ＩＩＡ中の全ての知覚情報はフラクタルシード（fractal seed）と呼ばれる幾何形状の単純な集合に変換され、規則の組及び情報の全体的な複雑なアーキテクチャが再生された後にこれが繰り返され；
ここで、ＩＩＡ中の複雑な幾何形状はより単純なパターンで置換されるが、アーキテクチャの投影は全体としては同じであり；
ここで、Bloch球で作られたＩＩＡは、その投影が、一つの方向を除いて、すべての方向で一定のままであるように変化し；
ここで、ＩＩＡ中の位相の関係が変化して、ハードウエア中で何も変化させることなく仮想クロックを生成し又は消去し、ここで位相は蓄積するための空間を必要とせず；
ここで、ＩＩＡ中の幾何形状の平面の相対的な向きが変化して、クロックを追加し、または削除し、あるいは投影をすべての方向で一定に維持し、；
ここで、ＩＩＡ中の単一のBloch球はことなる幾何形状を保持する各種の平面を得；
ここで、ＩＩＡ中のより少ないシステム点がすべての方向への同様な投影を生成し、従って必要とされるクロックを減少させ；
ここで、複数のBloch球がすべての方向でアーキテクチャの投影を不変に維持するようにＩＩＡ中で合併される。
【誤訳訂正６】
【訂正対象書類名】特許請求の範囲
【訂正対象項目名】請求項６
【訂正方法】変更
【訂正の内容】
【請求項６】
知覚データを請求項３で定義された統合情報アーキテクチャＩＡＡへ変換する方法であって、
ここで、視覚情報が多層化された分解能像として分割され、各々の層の像は別個の時間領域クロックで変形されて、最後に結合されたクロックアーキテクチャが構築され；
ここで、聴覚情報は異なる時間長のグループとして分割され、グループの各集合が別個の時間領域クロックで変形されて、最後に結合されたクロックアーキテクチャが構築され； 
ここで、味覚情報は影響される異なる領域及び信号の強度のグループとして分割され、各々のグループの集合は別個の時間領域クロックで変形されて、最後に結合されたクロックアーキテクチャが構築され；
ここで、触覚情報は異なる面積及び強度のグループとして分割され、各々のグループの集合が別個の時間領域クロックによって変形されて、最後に結合されたクロックアーキテクチャが構築され；
ここで、におい情報は異なる時間長及び影響される面積のグループとして分割され、各々のグループの集合は別個の時間領域クロックで変形されて、最後に結合されたクロックアーキテクチャが構築され；
ここで、クロックが異なるセンサ信号及び／または異なる情報または引数対に属し、ここで対はクロックのオーバーラップであってただ一つの統合されたセンサアーキテクチャを形成するために２つ以下の共振周波数が共通であり、もしひとつの入れ子化されたリズムが活性化された場合には、他の入れ子化されたリズムも活性化され、ここで活性化するとはクロックが走り始め、２進パルスストリームが流れ始めることを意味する。
【誤訳訂正７】
【訂正対象書類名】特許請求の範囲
【訂正対象項目名】請求項７
【訂正方法】変更
【訂正の内容】
【請求項７】
クロック動作する材料またはデバイスを使用して請求項５で定義されたＩＩＡを構築する方法であって、
ここで、クロックは古典的なまたは量子的な発振器の単一のまたは複数のアセンブリから作られ、その共振周波数は幾何形状の角の点をなし、ここでクロックが刻時しまたはエネルギーを放射し、また共振周波数間の位相関係はクロックを表す円の弧領域をなし；
ここで、早い方のクロックがキャビティの膜表面をなす古典的なまたは量子的な発振器であり、キャビティを遅い方のクロックとして振動させてゲストクロックがホストクロックの中立フィールド領域を占有し、ここで全てのキャビティは全ての時間及び積み重なって自己組織化された層の空間スケールにおいてそれらの形状を変化させてクロックの形状情報を編集し；
ここで、クロック動作キャビティはひとつよりも多くの種類のキャビティによって満たされ、ここで２種類の自己組織化プロセスが並列に走り、クロックまたは形状を並列に、内側にまた上に連結するため、第１にいくつかのキャビティは並列に配置され、第２に内側にまた上に配置され、これによって基礎的なクロックでコード化された形状がハードウエアまたはキャビティアーキテクチャを変形させて、ハードウエアと幾何形状とを等価にし；
ここで、像またはパターンまたは複合した幾何形状の多重の形状認識が各種の層に書き込まれ、像中で最も目立つ、もっとも単純な単数の形状が最も大きなキャビティに記憶され、ここで最も長いクロックが走り、キャビティ内では複合形状入力の２つ以下の基本形状がクロックとして記憶され、このプロセスは全てのパターンの書き込みが最も小さなピクセルまたは最も早いクロックに到達するまで継続され；
ここで、キャビティ内の任意の層に書き込まれた幾何形状が上下の全ての層において自発的に活性化され、より簡単な幾何形状、またはフラクタルシードを生成し、また層状になったクロックアーキテクチャは共振的に振動して完全なパターンを投影し、これにより相互接続されたクロック動作する形状全体が相互接続されたクロック動作するキャビティを完全に表現する。